(57)【特許請求の範囲】
【請求項１】
本体ケースとカバーケースとを備え、照明光の反射に基づき情報が読み取られる反射タイプ読取り対象物と該反射対象物の幅よりもその幅が狭くかつ照明光の透過に基づき情報が読み取られる透過タイプ読取り対象物とに用いられるスキャナー装置であって、
前記反射タイプ読取り対象物と前記透過タイプ読取り対象物とを前記本体ケースと前記カバーケースとの間で前記幅の方向と直交する方向に搬送する搬送機構と、前記本体ケースに設けられて、前記反射タイプ読取り対象物に向けて照明光を照射しかつ該反射タイプ読取り対象物の幅の方向に線状に延びる線状照明光源を有する照明系と、前記カバーケースに設けられて前記照明光を導光して前記透過タイプ読取り対象物を線状に照明する照明用導光板と、前記本体ケースに設けられて前記各読取り対象物の線状照明光を受像する受像系とを備え、
前記照明光源は前記透過タイプ読取り対象物を読取るときには線状照明光源のうち前記透過タイプ読取り対象物に対してはみ出した光源を使用することを特徴とするスキャナー装置。
【請求項２】
前記照明用導光板は前記照明系から出射された照明光の入射部と、前記入射部と搬送方向に間隔を開けて設けられかつ前記照明光を前記透過タイプ読取り対象物に向けて出射する出射部と、前記入射部と前記出射部とを光学的に接続する導光部とから構成され、前記入射部は一対の入射口を有し、該一対の入射口は前記搬送方向と直交する方向でかつ前記透過タイプ読取り対象物を跨ぐ間隔を開けて設けられ、前記出射部は出射口を有し、該出射口は前記搬送方向と直交する方向でかつ前記透過タイプ読取り対象物を横切って設けられている請求項１に記載のスキャナー装置。
【請求項３】
前記照明用導光板が平面Ｙ字形状である請求項２に記載のスキャナー装置。
【請求項４】
前記出射口に拡散面が設けられている請求項２に記載のスキャナー装置。
【請求項５】
前記照明用導光板が前記入射口から入射した入射光を全反射法則に従って前記出射口に伝搬することを特徴とする請求項２に記載のスキャナー装置。
【発明の詳細な説明】
【０００１】
【発明の属する技術分野】
本発明は、照明光の反射に基づき情報が読み取られる反射タイプ読取り対象物と照明光の透過に基づき情報が読み取られる透過タイプ読取り対象物とに用いられるスキャナー装置に関する。
【０００２】
【従来の技術】
従来から、スキャナー装置には、照明光の反射に基づき情報が読み取られる反射タイプ読取り対象物（例えば、カラープリント）と照明光の透過に基づき情報が読み取られる透過タイプ読取り対象物（例えば、３５ｍｍネガフィルム）との両方に用いられるものが知られている。
【０００３】
この従来のスキャナー装置は、本体ケースとカバーケースとを備え、本体ケースには情報読取り部が設けられている。この情報読取り部は、線状照明光源を有しかつ反射タイプ読取り対象物に照明光を照射してその反射タイプ読取り対象物に線状照明箇所を形成する照明系と、この反射タイプ読取り対象物の線状照明箇所により反射された反射光を受像する受像系とから構成されている。その情報読取り部は、本体ケース内で線状照明箇所と直交する走査方向に走査され、この走査により反射タイプ読取り対象物の全面の情報が読み取られる。
【０００４】
カバーケース内には、走査方向と直交する方向に延びる蛍光管が走査方向に所定間隔を開けて配列され、透過タイプ読取り対象物の情報を読み取るときには、読取り部の線状照明光源を消灯し、カバーケース内の蛍光管を点灯させてその透過タイプ読取り対象物に照明光を照射し、読取り部を走査方向に走査して透過タイプ読取り対象物を透過した照明光に基づき、その透過タイプ読取り対象物の全面の情報が読み取られる。
【０００５】
【発明が解決しようとする課題】
しかしながら、この従来のスキャナー装置では、反射タイプ読取り対象物を照明するのに専用の線状照明光源と、透過タイプ読取り対象物を照明するのに専用の照明光源としての蛍光管とを別々に必要とし、また、蛍光管による照明光量分布のむらを避けるために照明系を工夫しなければならず、装置全体が大型化するという問題がある。
【０００６】
本発明は、上記の事情に鑑みて為されたもので、その目的とするところは、反射タイプ読取り対象物を照明する線状照明光源のみを用いて、透過タイプ読取り対象物の全面の情報を読み取ることのできるスキャナー装置を提供することにある。
【０００７】
【課題を解決するための手段】
請求項１に記載のスキャナー装置は、本体ケースとカバーケースとを備え、照明光の反射に基づき情報が読み取られる反射タイプ読取り対象物と該反射対象物の幅よりもその幅が狭くかつ照明光の透過に基づき情報が読み取られる透過タイプ読取り対象物とに用いられるスキャナー装置であって、
前記反射タイプ読取り対象物と前記透過タイプ読取り対象物とを前記本体ケースと前記カバーケースとの間で前記幅の方向と直交する方向に搬送する搬送機構と、前記本体ケースに設けられて、前記反射タイプ読取り対象物に向けて照明光を照射しかつ該反射タイプ読取り対象物の幅の方向に線状に延びる線状照明光源を有する照明系と、前記カバーケースに設けられて前記照明光を導光して前記透過タイプ読取り対象物を線状に照明する照明用導光板と、前記本体ケースに設けられて前記各読取り対象物の線状照明光を受像する受像系とを備え、
前記照明光源は前記透過タイプ読取り対象物を読取るときには線状照明光源のうち前記透過タイプ読取り対象物に対してはみ出した光源を使用することを特徴とする。
【０００８】
請求項２に記載のスキャナー装置は、請求項１に記載のものにおいて、前記照明用導光板は前記照明系から出射された照明光の入射部と、前記入射部と搬送方向に間隔を開けて設けられかつ前記照明光を前記透過タイプ読取り対象物に向けて出射する出射部と、前記入射部と前記出射部とを光学的に接続する導光部とから構成され、前記入射部は一対の入射口を有し、該一対の入射口は前記搬送方向と直交する方向でかつ前記透過タイプ読取り対象物を跨ぐ間隔を開けて設けられ、前記出射部は出射口を有し、該出射口は前記搬送方向と直交する方向でかつ前記透過タイプ読取り対象物を横切って設けられている。
【０００９】
照明用導光板は、平面Ｙ字形状であり、出射口には拡散面が設けられているのが望ましい。また、照明用導光板は入射口から入射した入射光を全反射法則に従って出射口に伝搬する構成とするのが、照明光を光量損失なく伝搬できるのでより望ましい。
【００１０】
【発明の実施の形態】
図１において、１は本体ケース、２はカバーケースである。カバーケース２は本体ケース１に軸３を中心に開閉可能に設けられている。本体ケース１には照明系４と受像系５とが設けられていると共に、電気回路部品（図示を略す）が設けられている。本体ケース１の上面には反射タイプ読取り対象物６、透過タイプ読取り対象物７を所定方向に搬送する搬送機構としての一対の駆動ローラ８、９が搬送方向に所定間隔を開けて設けられている。この一対の駆動ローラ８、９は本体ケース１内に設けられた駆動機構（図示を略す）によって回転駆動される。カバーケース２には一対の駆動ローラ８、９に対向して一対の従動ローラ１０、１１が設けられている。なお、符号８Ａ、９Ａはそのローラ８、９の回転軸である。
【００１１】
反射タイプ読取り対象物６は例えばカラープリントであり、透過タイプ読取り対象物７は例えば３５ｍｍネガフィルムである。透過タイプ読取り対象物７の幅は反射タイプ読取り対象物６の幅よりも狭い。各読取り対象物６、７は本体ケース１とカバーケース２との間に配置されて、その長手方向を搬送方向として、一対の駆動ローラ８、９と一対の従動ローラ１０、１１とにより矢印Ａ方向に搬送される。
【００１２】
本体ケース１には搬送方向に間隔を開けてスリット開口１Ａ、１Ｂが形成され、カバーケース２にはそのスリット開口１Ａ、１Ｂに対応してスリット開口２Ａ、２Ｂが形成されている。このスリット開口１Ａ、１Ｂ、２Ａ、２Ｂは搬送方向と直交する方向に長く延びている。
【００１３】
照明系４は反射タイプ読取り対象物６に向けて照明光Ｐを照射しかつ反射タイプ読取り対象物６に搬送方向と直交する方向に線状に延びる線状照明箇所１２をスリット開口１Ａを通じて形成する役割を果たす。その照明系４は搬送方向と直交する方向に所定間隔を開けて配列された複数個のチップＬＥＤ４ａと、そのチップＬＥＤ４ａの配列方向に延びるシリンドリカルレンズ１３とからなっている。シリンドリカルレンズ１３はチップＬＥＤ４ａから出射された照明光Ｐを集光して平行光束とする。
【００１４】
受像系５は図２に拡大して示すように全反射ミラー１４、ハーフミラー１５、結像レンズ１６、一次元ラインセンサ（ＣＣＤ）１７から構成されている。全反射ミラー１４、ハーフミラー１５、一次元ラインセンサ１７は線状照明箇所１２の延びる方向に延びている。
【００１５】
カバーケース２には照明光Ｐを導光して透過タイプ読取り対象物７に線状照明箇所１８を形成する照明用導光板１９が設けられている。この照明用導光板１９は、図３、図４に示すように、平面Ｙ字形状であり、例えば、アクリル樹脂により形成される。その照明用導光板１９は照明系４から出射された照明光Ｐの入射部１９Ａと、入射部１９Ａと搬送方向に間隔を開けて設けられかつ照明光Ｐを透過タイプ読取り対象物７に向けて出射する出射部１９Ｂと、入射部１９Ａと出射部１９Ｂとを光学的に接続する導光部１９Ｃとから構成されている。入射部１９Ａは一対設けられ、各入射部１９Ａにはそれぞれ入射口１９Ｄが設けられている。この一対の入射口１９Ｄは搬送方向Ａと直交する方向でかつ透過タイプ読取り対象物７を跨ぐ間隔を開けて設けられている。出射部１９Ｂは出射口１９Ｅを有する。出射口１９Ｅはスリット開口２Ｂに臨み、搬送方向Ａと直交する方向でかつ透過タイプ読取り対象物７を横切るように設けられている。
【００１６】
一対の入射部１９Ａはスリット開口２Ａに臨み、入射した照明光Ｐを全反射する全反射面１９Ｆを有する。導光部１９Ｃも一対設けられ、各導光部１９Ｃは全反射面１９Ｆにより反射された照明光Ｐを全反射する全反射面１９Ｇ、１９Ｈを有する。導光板１９をアクリル樹脂材料（ｄ線における屈折率１．４９）で形成する場合、その全反射角度は４２度であるので、照明光の全反射面１９Ｆ、１９Ｇ、１９Ｈに入射する入射角度が４２度以上となるように、各全反射面１９Ｆ、１９Ｇ、１９Ｈを構成すれば良い。
【００１７】
出射部１９Ｂには一対の導光部１９Ｃを伝搬してきた照明光を出射口１９Ｅに向けて反射する全反射面１９Ｉが設けられている。この全反射面１９Ｉは、ここでは、透過タイプ読取り対象物７の線状照明箇所１８に照明光Ｐが集中されるように湾曲形状とされている。しかし、この全反射面１９Ｉは平らな斜面であっても良い。出射口１９Ｅには、線状照明箇所１８が一様な明るさで照明されるように拡散面が設けられている。
【００１８】
全反射ミラー１４はスリット開口１Ａの真下に配置され、反射タイプ読取り対象物６の線状照明箇所１２により反射された反射光Ｐ１をハーフミラー１５を介して結像レンズ１６に導く役割を果たし、ハーフミラー１５はスリット開口１Ｂの真下に配置され、透過タイプ読取り対象物７の線状照明箇所１８を透過した透過光Ｐ２を結像レンズ１６に向けて反射する役割を果たす。結像レンズ１６は反射タイプ読取り対象物６の情報を読み取るときには、線状照明箇所１２と一次元ラインセンサ１７とが共役位置となるように実線で示す位置に位置され、透過タイプ読取り対象物７の情報を読み取るときには、線状照明箇所１８と一次元ラインセンサ１７とが共役位置となるように破線で示す位置に位置される。本体ケース１には、その結像レンズ１６を移動させるためのレンズ移動機構（図示を略す）が設けられている。
【００１９】
反射タイプ読取り対象物６の情報を読み取るときには、全てのチップＬＥＤ４ａが点灯され、透過タイプ読取り対象物７の情報を読み取るときには、ＬＥＤ４ａ´が点灯し、残りのＬＥＤ４ａは消灯される。これは、導光板１９に入射しない照明光により迷光が生じるのを極力避けるためである。また、２個一対のＬＥＤ４ａ´間に存在する５個のＬＥＤ４ａを使用しない理由は、もしもこのＬＥＤ４ａの照明光を利用するものとすると、導光板１９に入射する照明光が透過タイプ読取り対象物７を横切る際に着色されるおそれがあるからである。
【００２０】
【発明の効果】
本発明に係わるスキャナー装置は、以上説明したように、反射タイプ読取り対象物を照明するための線状照明光源のみを用いて、透過タイプ読取り対象物の全面の情報を読み取る構成としたので、装置全体のコンパクト化を図ることができるという効果を奏する。
【図面の簡単な説明】
【図１】本発明に係わるスキャナー装置の主要部構成を示す断面図である。
【図２】図１に示す照明光学系と受像系との部分拡大図である。
【図３】図１に示すスキャナー装置の平面図である。
【図４】図３に示す導光板の拡大図である。
【符号の説明】
１…本体ケース
２…カバーケース
４…照明系
５…受像系
６…反射タイプ読取り対象物
７…透過タイプ読取り対象物
８、９…駆動ローラ（搬送機構）
１０、１１…従動ローラ（搬送機構）
１２、１８…線状照明箇所
１９…照明用導光板
Ｐ…照明光
【図１】
0003629121.tif 000002
【図２】
0003629121.tif 000003
【図３】
0003629121.tif 000004
【図４】
0003629121.tif 000005